(57)【要約】【課題】  シンク下方のキャビネット空間内に装置本体が設置されるビルトイン型の水処理装置を、キャビネット空間内に引出し体が設置されていても装置本体のカートリッジ交換等が容易に行え、且つ汎用的に設置可能なものとして提供する。【解決手段】  流し台２に設置される水処理装置１である。供給される水道原水を水処理したうえで吐出させる装置本体５を、流し台２のシンク３下方のキャビネット空間Ｓ内において前後方向にスライド自在な引出し体４の後方となる箇所に配置するに際して、キャビネット空間Ｓ内壁にアーム体１０を鉛直軸廻りに回動自在に設置し、上記アーム体１０を介して装置本体５を前後方向に移動自在に設ける。【選択図】図１
2007291652.tif 000002
【特許請求の範囲】
【請求項１】
流し台に設置される水処理装置であって、流し台のシンク下方のキャビネット空間内において前後方向にスライド自在な引出し体の後方に位置するとともに供給される水道原水を水処理したうえで吐出させる装置本体と、一端側をキャビネット空間内壁に鉛直軸廻りに回動自在に連結させるとともに他端側を上記装置本体と連結させるアーム体とを具備することを特徴とする水処理装置。
【請求項２】
上記アーム体が、一端側をキャビネット空間の側壁に鉛直軸廻りに回動自在に連結させるものであるとともに、装置本体をキャビネット空間後部に位置させた状態で一辺がキャビネット空間の側壁に沿い、且つもう一辺がキャビネット空間の後壁に沿うＬ字型を成すものであることを特徴とする請求項１に記載の水処理装置。
【請求項３】
装置本体又はアーム体から前方に向けて延設される把手部を具備することを特徴とする請求項１又は２に記載の水処理装置。
【請求項４】
上記把手部が、延設方向を逆方向に切換え自在なものであることを特徴とする請求項３に記載の水処理装置。
【請求項５】
上記把手部が、上下位置を切換え自在なものであることを特徴とする請求項３又は４に記載の水処理装置。
【請求項６】
請求項１〜５のいずれか一項に記載の水処理装置の装置本体及びアーム体と、該装置本体の前方にて前後方向にスライド自在に設置される引出し体とを、シンク下方のキャビネット空間内に具備することを特徴とする流し台。
【発明の詳細な説明】
【技術分野】
【０００１】
本発明は、流し台のシンク下方のキャビネット空間内に水処理装置の装置本体を設置する技術に関するものである。
【背景技術】
【０００２】
従来から、流し台のシンク下方のキャビネット空間内に装置本体を設置してある、所謂ビルトイン型の水処理装置が知られている。この水処理装置は、供給される水道原水に装置本体にてろ過や電解処理等の適宜水処理を施したうえで、流し台上面に設置してある水栓へと送り出し、この水栓からシンク内に向けて処理済みの水を吐出させるものである。
【０００３】
上記水処理装置においては、カートリッジ交換等の装置本体の定期的なメンテナンスが必要となるのだが、近年はシンク下方のキャビネット空間内に前後方向にスライド自在な引出し体を設置することが主流となっていることから、この装置本体のメンテナンス作業が非常に困難であるといった問題がある。
【０００４】
これは、図１１に示すように、流し台２のシンク３下方のキャビネット空間Ｓ内に引出し体４が設置してある場合、水処理装置１の装置本体５は該引出し体４と干渉することがないようにキャビネット空間Ｓ内の後端部に固定しておく必要があるので、メンテナンスを行う際には装置本体５の前方に位置する引出し体４が邪魔になってしまうからである。このため、従来はメンテナンス時には引出し体４を流し台２から一旦取り外しておき、そのうえでキャビネット空間Ｓ内に上半身を潜り込ませてカートリッジ交換等を行う必要があり、使用者には非常に面倒な作業が要求されていたのである。
【０００５】
上記問題に対して特許文献１には、装置本体を引出し体内に設置しておくといった方法が提案されている。この方法を用いた場合には、引出し体を前方にスライドさせれば装置本体のカートリッジ交換等が容易に行えるようになって上記問題は解決されるのだが、その代わりに引出し体内の有効な収納スペースが制限されてしまうといった問題が生じる。また、流し台から引出し体を取り外すような場合には、装置本体に接続されるパイプや電源コードが引っ張られて痛める危険性があるといった問題や、この危険性を避けるために上記パイプ等を十分長尺に設けておいた場合には通常収納時にこの長尺のパイプ等が邪魔になるといった問題が生じる。
【０００６】
また装置本体を引出し体内に設置しておくのではなく、幕板裏の引出し体とは干渉しないスペースに装置本体を設置しておくことでカートリッジ交換等を容易にするといった方法も考えられるのだが、このような十分なスペースが幕板裏に確保できる流し台は種類が限定されるので、多様な種類の流し台に対応して汎用的に装置本体を設置することは困難であるといった問題が生じる。
【特許文献１】特開２００５−２３２８７３号公報
【発明の開示】
【発明が解決しようとする課題】
【０００７】
本発明は上記問題点に鑑みて発明したものであって、シンク下方のキャビネット空間内に装置本体が設置されるビルトイン型の水処理装置とこれを備えた流し台を、キャビネット空間内に引出し体が設置されていても装置本体のカートリッジ交換等が容易に行えるとともに、該引出し体内の収納スペースを確保することができ、且つこの装置本体を流し台の種類に関係なく汎用的に設置可能なものとして提供することを課題とするものである。
【課題を解決するための手段】
【０００８】
上記課題を解決するために本発明に係る水処理装置１を、流し台２に設置される水処理装置１であって、流し台２のシンク３下方のキャビネット空間Ｓ内において前後方向にスライド自在な引出し体４の後方に位置するとともに供給される水道原水を水処理したうえで吐出させる装置本体５と、一端側をキャビネット空間Ｓ内壁に鉛直軸廻りに回動自在に連結させるとともに他端側を上記装置本体５と連結させるアーム体１０とを具備したものとする。
【０００９】
上記構成の水処理装置１とすることで、通常の使用時には、引出し体４を備えてあるキャビネット空間Ｓ内において該引出し体４と干渉することがない後方箇所に装置本体５を位置させておき、カートリッジ交換等のメンテナンス時には、引出し体４を前方に引出したうえで装置本体５を前方に引っ張れば、アーム体１０の回動により装置本体５を前方に移動させることができる。つまり、キャビネット空間Ｓ内に引出し体４が設置されていても装置本体５のカートリッジ交換等が容易に行えるとともに、装置本体５は引出し体４の後方にあるので該引出し体４内の収納スペースは確保される。加えて上記水処理装置１は、アーム体１０をキャビネット空間Ｓ内壁に取付けるだけで装置本体５を支持させることができるので、流し台２の種類に関係なく汎用的に設置可能である。
【００１０】
なお上記構成の水処理装置１にあっては、上記アーム体１０が、一端側をキャビネット空間Ｓの側壁１８に鉛直軸廻りに回動自在に連結させるものであるとともに、装置本体５をキャビネット空間Ｓ後部に位置させた状態で一辺がキャビネット空間Ｓの側壁１８に沿い、且つもう一辺がキャビネット空間Ｓの後壁１９に沿うＬ字型を成すものであることが好適である。このようにすることで、キャビネット空間Ｓ内壁と引出し体４との間に形成される空隙部分を有効に用いてアーム体１０を位置させることができる。
【００１１】
また上記構成の水処理装置１にあっては、装置本体５又はアーム体１０から前方に向けて延設される把手部１３を具備することが好適である。このようにすることで、奥行きの深いキャビネット空間Ｓを有する流し台２に水処理装置１を設置してある場合であっても、把手部１３を用いれば装置本体５を前方に引出す作業が容易となる。
【００１２】
また上記把手部１３が、延設方向を逆方向に切換え自在なものであることも好適である。このようにすることで、装置本体５を前後逆向きに設置する場合であっても、把手部１３の延設方向を逆に切換えることで該把手部１３を前方に突出させておくことができる。特にアーム体１０をキャビネット空間Ｓの側壁１８に固定する場合、左右どちらの側壁１８に固定するかで装置本体５の前後方向の向きが逆転するが、このような場合には把手部１３の延設方向を逆方向に切換えて該把手部１３を前方に突出させるのである。
【００１３】
また上記把手部１３が、上下位置を切換え自在なものであることも好適である。このようにすることで、把手部１３の上下位置を引出し体４やその収納物と干渉しないように調整することが可能になるので、流し台２に水処理装置１を設置する際の汎用性が更に向上する。
【００１４】
そして本発明に係る流し台２を、上記構成から成る水処理装置１の装置本体５及びアーム体１０と、該装置本体５の前方にて前後方向にスライド自在に設置される引出し体４とを、シンク３下方のキャビネット空間Ｓ内に具備したものとすることで、通常の使用時には、引出し体４を備えてあるキャビネット空間Ｓ内において該引出し体４と干渉することがない後方箇所に装置本体５を位置させておき、カートリッジ交換等のメンテナンス時には、引出し体４を前方に引出したうえで装置本体５を前方に引っ張れば、アーム体１０の回動により装置本体５を前方に移動させることができる。つまり、キャビネット空間Ｓ内に引出し体４が設置されていても装置本体５のカートリッジ交換等が容易に行えるとともに、装置本体５は引出し体４の後方にあるので該引出し体４内の収納スペースは確保されるのである。
【発明の効果】
【００１５】
本発明は、シンク下方のキャビネット空間内に装置本体が設置されるビルトイン型の水処理装置とこれを備えた流し台を、キャビネット空間内に引出し体が設置されていても装置本体のカートリッジ交換等が容易に行えるとともに、該引出し体内の収納スペースを確保することができ、且つこの装置本体を流し台の種類に関係なく汎用的に設置可能なものとするといった効果を奏する。
【発明を実施するための最良の形態】
【００１６】
以下、本発明を添付図面に示す実施形態に基づいて説明する。図１〜図４には、本発明の実施形態における一例の水処理装置１を備えた流し台２が示してある。この流し台２は、その上面２ａにシンク３を有するとともに、該シンク３下方にはキャビネット空間Ｓが形成されたものであり、このキャビネット空間Ｓ内には、上方の開口した箱状を成す上下二段の引出し体４が前後方向にスライド自在に設置してある。この引出し体４は、前板部分４ａを他の側板及び後板よりも充分に高く設けたものである。なお本文中においては、流し台２を利用する際に使用者が位置する側（図中の矢印Ａ側）を前方、流し台２が位置する側（図中の矢印Ｂ側）を後方とする。
【００１７】
水処理装置１は、水道源から供給される水道原水に各種水処理を施したうえで吐出させる装置本体５と、この装置本体５をキャビネット空間Ｓ内に設置させるためのアーム体１０とを備えている。本例の装置本体５は、ろ過用の浄水カートリッジ７（図４参照）及び電解槽（図示せず）を内蔵し、給水パイプ（図示せず）を通じて供給される水道原水にろ過及び電気分解を施して生成されるアルカリ水及び酸性水を、流し台２の上面２ａに立設してある水栓８から個別に吐出するものであるが、このような水処理装置は周知であることから詳しい構成については説明を省略する。なお、図中の符号９はアルカリ水及び酸性水を水栓８に向けて個別に送り出すための可撓性を有する一対のパイプであり、その一方が水栓８の吐水管８ａに連通接続され、他方が該水栓８の排水管８ｂに連通接続される。図４中にはこのパイプ９や水栓８は示していない。
【００１８】
上記装置本体５は、キャビネット空間Ｓ内において引出し体４の後方に位置するものであり、アーム体１０を介してキャビネット空間Ｓ内壁に鉛直軸廻りに回動自在に支持されている。上記アーム体１０は平面視Ｌ字状を成すものであり、取付金具２０を介してその一端側をキャビネット空間Ｓ内壁（図示例では左右方向の一方の側壁１８）に鉛直軸廻りに回動自在に支持させるとともに、他端側を装置本体５に連結固定させてある。つまり上記アーム体１０を介して、装置本体５は引出し体４とは独立して前後方向に移動自在となっている。
【００１９】
またＬ字状を成す上記アーム体１０は図１に示すように、装置本体５がキャビネット空間Ｓ後部の所定収納位置にあるときにはその基端側の一辺がキャビネット空間Ｓの側壁１８に沿い、且つ先端側のもう一辺がキャビネット空間Ｓの後壁１９に沿うように設置してある。これにより、キャビネット空間Ｓ内壁と引出し体４との間に形成される空隙部分を有効に用いてアーム体１０を位置させることができる。即ちキャビネット空間Ｓが効率的に用いられるものである。
【００２０】
図４には、上記の所定収納位置にある状態で装置本体５を仮固定させるロック機構が示してある。このロック機構は、アーム体１０の前方であって該アーム体１０と接触可能な下位置とアーム体１０とは接触しない上位置との間で上下方向に突没自在なピン６と、流し台２の上面２ａに突没自在に設けてある操作釦１１と、この操作釦１１を上方に引っ張ることで上記ピン６を下位置から上位置にまで移動させるワイヤ部材１２とで主体を成している。
【００２１】
上記構成から成る水処理装置１を備えた流し台２にあっては、通常使用時は図２等に示すように装置本体５を最も後方の所定収納位置に備えておき、この位置にてろ過及び電気分解を施して得たアルカリ水と酸性水を水栓８に向けて吐出させて使用する。キャビネット空間Ｓの後端下部には配管スペースを囲むための配管カバー１４が固定してあるのだが、通常使用時に装置本体５が仮固定される所定収納位置は、この配管カバー１４上の位置となる。
【００２２】
そして一定の使用量毎に要求される浄水カートリッジ７の交換作業に際しては、まず引出し体４を前方にスライドさせるとともに、操作釦１１を上方に引っ張り上げてアーム体１０のロックを解除する。そして引出し体４の後板上方に形成される空隙部分を通じてアーム体１０又は装置本体５に手を掛け、前方への引っ張り力を加えると、アーム体１０は取付金具２０を中心に回動して装置本体５を前方に移動させる。装置本体５の前進は、図３等に示すように引出し体４の後端面と当たる位置にて停止する。この前進位置にて、使用者は引出し体４の後板上方の空隙部分を通じて容易に浄水カートリッジ７の交換作業を行うことができる。交換完了後には再び装置本体５を後方へとむけて回動させ、所定収納位置に至れば操作釦１１を押し下げてアーム体１０をロックさせておく。
【００２３】
なお、装置本体５に接続されるパイプ９や給水パイプが、前後移動に支障を来たすことのない必要十分な長さ及び可撓性を有するものであることは勿論である。また上記パイプ９等は、上下軸廻りに回動自在となるように装置本体５に連通接続させておくことが好適である。
【００２４】
図５には、所定収納位置にある状態で装置本体５を仮固定させるロック機構の変形例が示してある。このロック機構は、上方に凸状を成す湾曲部分を有するともに配管カバー１４の上面に固定される板ばね部材１７から成る。つまり、通常使用時においては装置本体５は板ばね部材１７の湾曲部分に係止されて所定収納位置に仮固定され、アーム体１０又は装置本体５に引っ張り力を加えると、板ばね部材１７の湾曲部分が下方に撓むことで装置本体５は該板ばね部材１７を乗り越えて前方に移動するのである。
【００２５】
図６には、アーム体１０の変形例を示している。このアーム体１０は図１等に示すような平面視Ｌ字状を成すものではなく、キャビネット空間Ｓの側壁１８に回動自在に連結される一端側から、装置本体５に連結固定される他端側にかけて一直線状に形成されている。この一直線状を成すアーム体１０は、装置本体５がキャビネット空間Ｓ後部の所定収納位置にあるときにはキャビネット空間Ｓの後壁１９に沿うように設置させてある。
【００２６】
次に、本発明の実施形態における他例の水処理装置１を備えた流し台２について説明する。なお、他例の水処理装置１は引っ張り操作用の把手部１３を備えた構成以外は上記した一例の構成と同様であることから、一例と同様の構成については同一符号を付して詳しい説明を省略し、一例とは相違する特徴的な構成についてのみ以下に詳述する。
【００２７】
図７に示すように他例の水処理装置１の装置本体５には、前後移動時に用いる把手部１３を前方に向けて延設してある。上記把手部１３は、一直線状を成す支持片１３ａの先端に使用者が握る把持部分１３ｂを設けたものであり、上記支持片１３ａの基端側を装置本体５の外側面に取付金具３０を介して鉛直軸廻りに回動自在に固定させることで、この把手部１３を装置本体５に取り付けてある。
【００２８】
図８に示すように上記取付金具３０には、上下方向に細長のスリット状を成すスライド穴１５を貫設しており、装置本体５の外側面には取付ねじ１６が螺合するねじ孔を設けている。この取付ねじ１６をスライド穴１５に挿通させた状態で締め付けていくことで、該取付ねじ１６のヘッド部分と装置本体５との間で取付金具３０を挟持固定し、これにより把手部１３を装置本体５に固定する構造である。即ち上記把手部１３は、スライド穴１５内における取付ねじ１６の挿通位置を上下に変更して締め付けることで、図８中に矢印で示すようにその上下位置が所定範囲内で変更自在となっている。
【００２９】
他例の水処理装置１を設置する流し台２としては多様な形状を有するものが想定されるが、このように把手部１３の上下位置を変更自在としたことで、設置しようとする流し台２が有する引出し体４の位置や形状に対応して、この引出し体４や収納物と干渉することがない上下位置に把手部１３を設けることが可能である。
【００３０】
図９には、把手部１３の変形例を示している。この把手部１３は、その支持片１３ａの基端側をアーム体１０に鉛直軸廻りに回動自在に連結させたものである。なお上記把手部１３のアーム体１０との連結部分は、Ｌ字状を成すアーム体１０の屈折部分を挟む二辺のうち、屈折部分よりも先端側の一片であって装置本体５が所定収納位置にあるときにキャビネット空間Ｓの後壁１９に沿う側の部分とする。
【００３１】
図１０には、他例の装置本体５をキャビネット空間Ｓにおける左右逆側の側壁１８に支持させた場合を示している。Ｌ字状を成すアーム体１０は、装置本体５に対して反転させた姿勢で固定可能となっているので、逆側の側壁１８に装置本体５を支持させる場合には、図７の場合と比べて装置本体５に対してアーム体１０を反転した状態で固定させたうえで、このアーム体１０を逆側の側壁１８に回動自在に固定させればよい。なお把手部１３は装置本体５に鉛直軸廻りに回動自在に支持させているので、この場合には把手部１３を１８０度回動させてその延設方向を逆方向に切換えておくことで、把手部１３を前方に突出するよう設けることができる。
【図面の簡単な説明】
【００３２】
【図１】本発明の実施形態における一例の水処理装置を備えた流し台を説明する一部破断平面図である。
【図２】同上の流し台の通常使用時を説明する一部破断側面図である。
【図３】同上の流し台のカートリッジ交換時を説明する一部破断側面図である。
【図４】同上の流し台のロック機構を説明する斜視図であり、（ａ）は通常使用時、（ｂ）はカートリッジ交換時を示している。
【図５】同上のロック機構の変形例を説明する一部破断側面図である。
【図６】同上の水処理装置のアーム体の変形例を説明する一部破断平面図である。
【図７】本発明の実施形態における他例の水処理装置を備えた流し台を説明する一部破断平面図である。
【図８】同上の水処理装置の把手部の上下調整を説明する側面図である。
【図９】同上の把手部の変形例を説明する一部破断平面図である。
【図１０】同上の水処理装置の装置本体を左右逆側に取付けた場合を説明する一部破断平面図である。
【図１１】従来の水処理装置を備えた流し台を示す説明図である。
【符号の説明】
【００３３】
１  水処理装置
２  流し台
３  シンク
４  引出し体
５  装置本体
１０  アーム体
Ｓ  キャビネット空間
【図１】
2007291652.tif 000003
【図２】
2007291652.tif 000004
【図３】
2007291652.tif 000005
【図４】
2007291652.tif 000006
【図５】
2007291652.tif 000007
【図６】
2007291652.tif 000008
【図７】
2007291652.tif 000009
【図８】
2007291652.tif 000010
【図９】
2007291652.tif 000011
【図１０】
2007291652.tif 000012
【図１１】
2007291652.tif 000013